(57)【要約】【課題】ずれ止めが設けられる床開口養生蓋において、大きさや形状の異なる床開口に対応できるようにする。【解決手段】構造物の床に設けられている床開口を塞ぐための床開口養生蓋１において、棒状の線材（縦材３、横材４）が網目状に組まれて形成され床開口を覆ってその周囲の床面に載置される蓋本体（溶接金網２）と、線材に対し着脱可能で床開口の内側面に当たって蓋本体の移動を止めるずれ止め具５とを備える。ずれ止め具５は、床開口の内側面に当たるずれ止め本体と、このずれ止め本体を線材に掛止するフックとを有する。ずれ止め本体６にフックの下端部を挿通するための貫通孔を形成し、フックの下端部にずれ止め本体６を介して線材を締め付ける蝶ナットを設ける。【選択図】図１
2007285087.tif 000002
【特許請求の範囲】
【請求項１】
構造物の床に設けられている床開口を塞ぐための床開口養生蓋であって、
棒状の線材が網目状に組まれて形成され前記床開口を覆ってその周囲の床面に載置される蓋本体と、
前記線材に対し着脱可能で前記床開口の内側面に当たって前記蓋本体の移動を止めるずれ止め具とを備えることを特徴とする床開口養生蓋。
【請求項２】
前記ずれ止め具は、前記床開口の内側面に当たるずれ止め本体と、このずれ止め本体を前記線材に掛止するフックとを有することを特徴とする請求項１に記載の床開口養生蓋。
【請求項３】
前記ずれ止め本体には、前記フックの下端部を挿通するための貫通孔が形成され、
前記フックの下端部には、前記ずれ止め本体を介して前記線材を締め付ける蝶ナットが設けられていることを特徴とする請求項２に記載の床開口養生蓋。
【発明の詳細な説明】
【技術分野】
【０００１】
本発明は、構造物の床に設けられる床開口を塞ぐための床開口養生蓋に関する。
【背景技術】
【０００２】
構造物の床には、資材等の搬入口、設備用の箱抜きなどの床開口が設けられる。構造物の工事途中においては、これらの床開口を養生蓋で塞いで、作業員などが誤って落ちないようにする必要がある（例えば、特許文献１参照。）。従来、養生蓋は、簡易な構造のものとして、床開口の大きさに合わせた合板、鉄板などに、ずれ止めのための角材、形鋼などを固定して製作されていた。
【特許文献１】特開平８−３５３３７号公報
【発明の開示】
【発明が解決しようとする課題】
【０００３】
しかし、従来の養生蓋では、それぞれの床開口の大きさ、形状に合わせて、合板、鉄板などを加工しずれ止めを配置するため、床開口ごとに個別に製作しなければならず、多大な手間がかかっていた。そして、床開口の大きさ、形状が違えば、繰り返して使用することができなかった。
【０００４】
本発明の課題は、ずれ止めが設けられる床開口養生蓋において、大きさや形状の異なる床開口に対応できるようにすることである。
【課題を解決するための手段】
【０００５】
以上の課題を解決するため、請求項１に記載の発明は、例えば図１に示すように、構造物の床に設けられている床開口を塞ぐための床開口養生蓋１であって、棒状の線材（縦材３、横材４）が網目状に組まれて形成され前記床開口を覆ってその周囲の床面に載置される蓋本体（溶接金網２）と、前記線材に対し着脱可能で前記床開口の内側面に当たって前記蓋本体の移動を止めるずれ止め具５とを備えることを特徴とする。
【０００６】
このように、棒状の線材が網目状に組まれて形成された蓋本体が、床開口の周囲の床面に載置され床開口を覆って塞いで、作業員などが誤って落下するのを防ぐ。また、ずれ止め具５が、蓋本体が床開口の位置から移動しようとするのを床開口の内側面に当たって止める。そして、ずれ止め具５が蓋本体の線材に対し着脱可能であることにより、蓋本体へのずれ止め具５の取付け位置を容易に変更することができる。したがって、ずれ止め具５の位置の変更により、床開口養生蓋１は大きさや形状が異なる床開口に対応することができる。また従来のように床開口ごとに製作する必要がなく、繰り返して使用することができる。
【０００７】
請求項２に記載の発明は、請求項１に記載の床開口養生蓋１において、例えば図２、３に示すように、前記ずれ止め具５は、前記床開口の内側面に当たるずれ止め本体６と、このずれ止め本体６を前記線材に掛止するフック８とを有することを特徴とする。
【０００８】
このように、ずれ止め具５が床開口の内側面に当たるずれ止め本体６を線材に係止するフック８を有することにより、線材に対してずれ止め具５を容易に着脱することができ、ずれ止め具５の位置を簡単に変更することができる。
【０００９】
請求項３に記載の発明は、請求項２に記載の床開口養生蓋１において、例えば図２、３に示すように、前記ずれ止め本体６には、前記フック８の下端部を挿通するための貫通孔７が形成されており、前記フック８の下端部には、前記ずれ止め本体６を介して前記線材を締め付ける蝶ナット１２が設けられていることを特徴とする。
【００１０】
このように、ずれ止め本体６の貫通孔７にフック８の下端部を挿通し、フック８の下端部に蝶ナット１２を設けて、ずれ止め本体６を介して前記線材を締め付けることにより、ずれ止め具５を所定位置に手で簡単に確実に固定することができる。
【発明の効果】
【００１１】
本発明によれば、構造物の床に設けられている床開口を塞ぐための床開口養生蓋が、棒状の線材が網目状に組まれて形成され床開口を覆ってその周囲の床面に載置される蓋本体と、線材に対し着脱可能で床開口の内側面に当たって蓋本体の移動を止めるずれ止め具とを備えるので、大きさや形状の異なる床開口に対応させることができ、繰り返して使用することができる。
【発明を実施するための最良の形態】
【００１２】
以下、図を参照して本発明を実施するための最良の形態を詳細に説明する。
本実施形態の床開口養生蓋１（以下、養生蓋１という。）は、工事中の構造物の床に設けられている床開口を塞ぐためのものである。床開口は、特に図示しないが、例えばその平面形状が四角形状、円形状などのものである。
【００１３】
養生蓋１は、棒状の線材が網目状に組まれて形成され床開口を覆ってその周囲の床面に載置される蓋本体と、線材に対し着脱可能で床開口の内側面に当たって蓋本体の移動を止めるずれ止め具５とを備えている。
【００１４】
蓋本体は、具体的には、図１に示すように、鉄線、ステンレス鋼線などからなる縦材３及び横材４（線材）をそれぞれ一定間隔で直交するように配列し、電気抵抗溶接によって格子状に組み立てて板状にした溶接金網２である。
【００１５】
ずれ止め具５は、図２、３に示すように、床開口の内側面に当たるずれ止め本体６と、このずれ止め本体６を縦材３又は横材４に掛止するフック８とを有している。
【００１６】
フック８は、鈎状に折れ曲がった先端部９と、下方に延びる直線部１０とを有している。直線部１０の下端部にはねじ１１が刻まれている。フック８の直線部１０のねじ１１に螺合して蝶ナット１２が設けられている。ずれ止め本体６には、高さ方向にフック８の下端部を挿通するための貫通孔７が２箇所形成されている。
【００１７】
そして、フック８の直線部１０を貫通孔７に通し、先端部９を溶接金網２の縦材３又は横材４に引っ掛け、蝶ナット１２でずれ止め本体６を介して締め込んで固定する。フック８の先端部９の形状は、蝶ナット１２で溶接金網２の縦材３又は横材４を締め込んだときに、ずれ止め本体６に当たらないようになっている。
【００１８】
また、ずれ止め金具は、溶接金網２の水平方向への移動を規制するように配置される。例えば、床開口の平面形状が四角形状であれば、図１に示すように、４辺の内側面に面するように４箇所に配置すればよい。
【００１９】
本実施形態によれば、溶接金網２が床開口の周囲の床面に載置され床開口を覆って塞いで作業員などの落下を防止し、ずれ止め具５が蓋本体が床開口の位置から移動しようとするのを床開口の内側面に当たって止めることができる。そして、ずれ止め具５が溶接金網２の縦材３又は横材４に対し着脱可能であるので、溶接金網２へのずれ止め具５の取付け位置を容易に変更することができる。したがって、ずれ止め具５の位置を変更して、床開口養生蓋１は大きさや形状が異なる床開口に対応することができる。また従来のように床開口ごとに製作する必要がなく、繰り返して使用することができる。
【００２０】
また、ずれ止め具５が床開口の内側面に当たるずれ止め本体６を縦材３又は横材４に係止するフック８を有するので、縦材３又は横材４に対してずれ止め具５を容易に着脱することができ、ずれ止め具５の位置を簡単に変更することができる。さらに、ずれ止め本体６の貫通孔７にフック８の直線部１０の下端部を挿通し蝶ナット１２を設けて、ずれ止め本体６を介して縦材３又は横材４を締め付けるので、ずれ止め具５を所定位置に手で簡単に確実に固定することができる。
【００２１】
また、溶接金網２には、図１に示すように、作業員に対して床開口の存在を表示して注意を促すための表示プレート１３を、紐などで縦材３又は横材４に縛って取り付けることができる。
【００２２】
なお、以上の実施の形態においては、蓋本体を溶接金網としたが、本発明はこれに限定されるものではなく、棒状の線材が網目状に組まれて形成されているものであればよい。網目の形状も正方形に限らず、菱形などの形状であってもよい。蓋本体の大きさ、形状は、設置が想定される複数の床開口のいずれも塞ぐことができる程度に十分に大きく形成しておけばよい。また、蓋本体の網目の間隔、線材の太さ、蓋本体へのずれ止め具の配置、取付け数量、ずれ止め本体の形状、フックの形状、数量等、その他、具体的な細部構造等についても適宜に変更可能であることは勿論である。
【図面の簡単な説明】
【００２３】
【図１】本発明を適用した一実施の形態の床開口養生蓋の構成を示す斜視図である。
【図２】ずれ止め具を蓋本体に取り付けた状態を示す拡大平面図である。
【図３】ずれ止め具を示す側面図である。
【符号の説明】
【００２４】
１  床開口養生蓋
２  溶接金網（蓋本体）
３  縦材（線材）
４  横材（線材）
５  ずれ止め具
６  ずれ止め本体
７  貫通孔
８  フック
９  先端部
１０  直線部
１１  ねじ
１２  蝶ナット
１３  表示プレート
【図１】
2007285087.tif 000003
【図２】
2007285087.tif 000004
【図３】
2007285087.tif 000005